(57)【特許請求の範囲】
【請求項１】
所定の保持部に着脱可能であって、固定された状態での読み取りとハンドヘルド操作による読み取りが可能な垂直側のバーコードスキャナと、
前記垂直側スキャナと所定の位置関係を持たせて配置される水平側のバーコードスキャナと、を有し、
これら２つのバーコードスキャナからスキャンラインを多方向に投射して商品に付与されたバーコードを読み取るマルチスキャンタイプの固定式のバーコード読み取り装置において、
前記垂直側スキャナを固定してバーコードを読み取る場合には、垂直側スキャナ及び水平側スキャナ共にレーザの発光を行い、
前記垂直側スキャナをハンドヘルド操作として用いる場合には、垂直側スキャナ本体を上方から掴み、手前に押し倒す方向に反転させる操作を伴い、トリガスイッチが押されたときのみレーザの発光を行い、前記水平側スキャナはレーザの発光を停止することを特徴とするバーコード読み取り装置。
【請求項２】
所定の保持部に着脱可能であって、固定された状態での読み取りとハンドヘルド操作による読み取りが可能な垂直側のバーコードスキャナと、
前記垂直側スキャナと所定の位置関係を持たせて配置される水平側のバーコードスキャナと、を有し、
これら２つのバーコードスキャナからスキャンラインを多方向に投射して商品に付与されたバーコードを読み取るマルチスキャンタイプの固定式のバーコード読み取り装置において、
前記水平側スキャナは、前記垂直側スキャナが前記保持部から取り外された際にはレーザの発光を行い、当該レーザ光によって形成されるスキャンラインを正規のスキャンラインとして認識しない、ことを特徴とするバーコード読み取り装置。
【請求項３】
所定の保持部に着脱可能であって、固定された状態での読み取りとハンドヘルド操作による読み取りが可能な垂直側のバーコードスキャナと、
前記垂直側スキャナと所定の位置関係を持たせて配置される水平側のバーコードスキャナと、を有し、
これら２つのバーコードスキャナからスキャンラインを多方向に投射して商品に付与されたバーコードを読み取るマルチスキャンタイプの固定式のバーコード読み取り装置において、
前記水平側スキャナは、水平側スキャナ用の窓部が設けられたプレートが取り付けられている際には、レーザ光の発光を行い、前記プレートが取り外された際にはレーザ光の発光を停止することを特徴とするバーコード読み取り装置。
【発明の詳細な説明】
【０００１】
【発明の属する技術分野】
本発明はバーコード読み取り装置に関するものである。
【０００２】
【従来の技術】
近年、例えばスーパーなどにおいて、２つのバーコード読み取り部を垂直及び水平方向に配置して垂直側スキャナ及び水平側スキャナとし、これら２つのスキャナからスキャンラインを多方向に投射して商品に付与されたバーコードを読み取るマルチスキャンタイプの固定式バーコード読み取り装置（以下、固定式スキャナと呼ぶ）を備えたＰＯＳシステムが知られている。このような固定式スキャナによれば、単一のバーコード読み取り部によりバーコードを読み取る場合に比べて、多方向の向きに置かれている商品のバーコードにスキャンラインを命中させることが容易であり、バーコードの読み取り作業を大幅に向上させることができる。
【０００３】
図１４（Ａ）はいわゆるＰＯＳカウンタにおいて、カウンタ１００に設置されたマルチスキャンタイプの固定式スキャナ１０１により、商品１０３に付与されたバーコードを読み取るようすを示す図である。１０２はオペレータであり、１０５は商品１０３を購入するべく通路１０６に立っている客１０５である。
【０００４】
購入すべき商品がカウンタ１００を通過できる大きさであればカウンタ１００上において読み取りが行われるが、商品がカウンタ１００上を通過できないほど大きな場合には、カウンタ１００に設けられたスタンド１０７に掛けられたハンドヘルドスキャナ１０４により、図１４（Ｂ）に示すように、ハンドヘルドスキャナ１０４を通路１０６内の商品カゴ１０９に入れられた商品１１０に付与されたバーコード１０８に向けてスキャンラインを投射することにより読み取りが行われる。
【０００５】
また、カウンタ１００上を通過できるような大きさの商品であっても、商品の形状によっては、固定式スキャナよりもハンドヘルドスキャナを用いてバーコードを読み取ったほうがよい場合があり、したがって、固定式スキャナとハンドヘルドスキャナとを併置しているＰＯＳカウンタも数多く見受けられる。
【０００６】
一方、特開平７−２５４０４１号公報は、非常に小さいスペースでのＰＯＳ作業を容易にするために、固定部に固定した状態でバーコードの読み取りを行なうことができ、かつ、固定部から取り外してハンドヘルド操作によりバーコードを読み取ることができる、小型のオムニスキャナを開示している。
【０００７】
図１５はこのようなオムニスキャナを用いてハンドヘルド操作により読み取りを行なう動作を説明するための図である。図１５に示すように、オムニスキャナ２００はバーコードを読み取るためのスキャンラインが出射されるウインドウ２０４がオペレータ２０２側を向くようにカウンタ２０３上に置かれている（図１５（Ａ））。バーコードの読み取り時、オペレータ２０２はオムニスキャナ２００の後部に自身の手２０２−１を回してオムニスキャナ２００を掴み（図１５（Ｂ））、これを横方向に時計回りに回転させてスキャンラインが出射されるウインドウ２０４を前方に向けて図示せぬバーコードに投射する（図１５（Ｃ））。
【０００８】
【発明が解決しようとする課題】
しかしながら、上記した固定式スキャナとハンドヘルドスキャナとを併置したバーコード読み取り装置は、ユーザに大きな投資を求めることになる上に、カウンタのような少ないスペースではその配置に適した場所を見つけるのが困難な場合がある。
【０００９】
また、特開平７−２５４０４１号公報に開示された小型のオムニスキャナは、商品に付与されたバーコードに読み取り部を当てて読み取りを行なう、いわゆるプロジェクションタイプのバーコード読み取り装置であり、スーパーなどのような、大量の商品のバーコードを読み取ることが要求される環境での使用には必ずしも適しておらず、ハンドヘルド操作時にはオムニスキャナを横方向に回転させる必要があるのでコードが水平方向に捩れたりしてバーコードを読み取る際の操作性も良好でなかった。
【００１０】
本発明のバーコード読み取り装置はこのような課題に着目してなされたものであり、その目的とするところは、大量の商品を読み取ることができる固定式スキャナとしての使用だけでなく、ハンドヘルド操作によるバーコード読み取りも良好な操作性で行なうことができるバーコード読み取り装置を提供することにある。
【００１１】
【課題を解決するための手段】
上記の目的を達成するために、本発明の第１の態様に係るバーコード読み取り装置は、所定の保持部に着脱可能であって、固定された状態での読み取りとハンドヘルド操作による読み取りが可能な垂直側のバーコードスキャナと、前記垂直スキャナと所定の位置関係を持たせて配置される水平側のバーコードスキャナと、を有し、これら２つのバーコードスキャナからスキャンラインを多方向に投射して商品に付与されたバーコードを読み取るマルチスキャンタイプの固定式のバーコード読み取り装置において、前記垂直側スキャナを固定してバーコードを読み取る場合には、垂直側スキャナ及び水平側スキャナ共にレーザの発光を行い、前記垂直側スキャナをハンドヘルド操作として用いる場合には、垂直側スキャナ本体を上方から掴み、手前に押し倒す方向に反転させる操作を伴い、トリガスイッチが押されたときのみレーザの発光を行い、前記水平側スキャナはレーザの発光を停止する。
【００１２】
また、本発明の第２の態様に係るバーコード読み取り装置は、第１の態様に係るバーコード読み取り装置において、所定の保持部に着脱可能であって、固定された状態での読み取りとハンドヘルド操作による読み取りが可能な垂直側のバーコードスキャナと、前記垂直側スキャナと所定の位置関係を持たせて配置される水平側のバーコードスキャナと、を有し、これら２つのバーコードスキャナからスキャンラインを多方向に投射して商品に付与されたバーコードを読み取るマルチスキャンタイプの固定式のバーコード読み取り装置において、前記水平側スキャナは、前記垂直側スキャナが前記保持部から取り外された際にはレーザの発光を行い、当該レーザ光によって形成されるスキャンラインを正規のスキャンラインとして認識しない。
【００１３】
また、本発明の第３の態様に係るバーコード読み取り装置は、第１の態様に係るバーコード読み取り装置において、所定の保持部に着脱可能であって、固定された状態での読み取りとハンドヘルド操作による読み取りが可能な垂直側のバーコードスキャナと、前記垂直側スキャナと所定の位置関係を持たせて配置される水平側のバーコードスキャナと、を有し、これら２つのバーコードスキャナからスキャンラインを多方向に投射して商品に付与されたバーコードを読み取るマルチスキャンタイプの固定式のバーコード読み取り装置において、前記水平側スキャナは、水平側スキャナ用の窓部が設けられたプレートが取り付けられている際には、レーザ光の発光を行い、前記プレートが取り外された際にはレーザ光の発光を停止する。
【００１４】
【発明の実施の形態】
以下、図面を参照して本発明の実施形態を詳細に説明する。２つのバーコード読み取り部を垂直及び水平方向に配置して垂直側スキャナ及び水平側スキャナとし、これら２つのスキャナからスキャンラインを多方向に投射して商品に付与されたバーコードを読み取るマルチスキャンタイプの固定式スキャナは、大量の商品に付与されたバーコードを正確かつ迅速に読み取るために以下のような要件を備えている必要がある。
（１）  商品のある面におけるいかなる向きに貼られたバーコードにも対処するため、多くの向きのスキャンラインが存在すること、
（２）  商品のある面が向き得る範囲をできるだけ多くカバーするために、多くの向きにスキャンラインを投射すること、
（３）  早い速度で商品を移動させても正確な読み取りが行なえること、
（４）  広い範囲で読み取りが可能なこと、
（５）  低品位のバーコードに対しても読み取り能力が高いこと、
などである。
【００１５】
図１（Ａ）は上記したマルチスキャンタイプの固定式スキャナの垂直側スキャナとしてだけでなく、ハンドヘルド操作によりバーコードの読み取りを行なうハンドヘルドスキャナとしても用いることができる本実施形態に係るハンディスキャナ１６の外観斜視図である。図１（Ａ）はハンディスキャナ１６を背面及び側面側から見たときの様子を示している。本体背面にはオペレータが手で掴むことができるグリップ部６が設けられている。グリップ部６の先端部にはトリガースイッチ２３が設けられている。２４は底部である。また、本体正面には、本体内部に配置されたバーコード読み取り部からのスキャンライン４を外部に出射するためのウインドウ５が設けられている。ウインドウ５の具体的形状は以下の図２に示される。図１（Ｂ）は、トリガースイッチ２３を設けない場合の構成を示している。
【００１６】
このようなハンディスキャナ１６を固定式スキャナとして用いる場合には、図２に示すように、その底部２４を上方からスタンド部２５に装着して垂直側スキャナとして用いる。ハンディスキャナ１６の底部２４がスタンド部２５に装着されることにより、ハンディスキャナ１６本体の位置決めが行われる。カウンタ１２のプレート１２−１下方には図示せぬ水平側スキャナが配置されている。また、ハンディスキャナ１６の側面上部にはコード取付部２８を有し、コード２７がコード取付部２８からスタンド部２５に接続されてハンディスキャナ１６とカウンタ１２側との電気的連絡を可能にしている。
【００１７】
図３（Ａ）、（Ｂ）は本発明の一実施形態に係るハンドヘルド操作の手順を説明するための図である。商品がカウンタ１２を通過できる大きさの場合にはハンディスキャナ１６はスタンド部２５に固定された状態でカウンタ１２上に置かれた商品５１に付与されたバーコード５４を読み取るが、商品がカウンタ１２上を通過できないほど大きな場合には、商品３１を通路５２に置かれた商品カゴ５３に入れたままでバーコード３２を読み取る必要がある。
【００１８】
この場合、オペレータ５０は自身の手５０−１でハンディスキャナ１６の背面に設けられたグリップ部６を上方から掴んで、ハンディスキャナ１６を手前に押し倒す方向に反転させてウインドウ５をバーコード３２のある方向に向ける。この動作によってハンディスキャナ１６の底部２４は本体の頭部位置に移動する。そして、背面に設けられたトリガースイッチ２３を押すとウインドウ５からスキャンラインがバーコード３２に対して投射される。トリガースイッチを持たないハンディスキャナ１６の場合には、ハンディスキャナ１６がスタンド部２５から取り外されたことを後述する方法により検出したときにスキャンラインを投射するようにする。
【００１９】
このような方法によれば、オペレータ５０の手５０−１に負荷をかけることなしに簡単な操作で前方のバーコード３２を読み取ることができるので、ハンドヘルド操作時の操作性を向上させることができる。
【００２０】
また、垂直側スキャナにおいては、特に、水平側スキャナと組み合わせてマルチスキャンタイプのスキャナとして用いる場合には、オペレータ５０が視覚的に確認しながら読み取りができるように、バーコード面を上に向け、かつ、スキャンラインを下方に向けて投射することが必要である。本実施形態においてもスキャンライン５５は図３（Ａ）に示すように略下向きなので、１８０度よりも小さな角度の回転で前方のバーコード３２を読み取ることができる。
【００２１】
図４は、オペレータ５０がハンディスキャナ１６をスタンド部２５から取り外したことを検出する方法を説明するための図である。図４ではマグネット２６−１がスタンド部２５に設けられており、例えばホール素子などの磁気検知素子２６−２がハンディスキャナ１６に設けられている。ハンディスキャナ１６の固定時において、磁気検知素子２６−２はマグネット２６−１と隣接した状態を保つのでマグネット２６−１の磁力を検出するが、オペレータ５０がハンディスキャナ１６をスタンド部２５から取り外した場合には磁気検知素子２６−２はマグネット２６−１の磁力を検出しない。したがって、マグネット２６−１の磁力を検出したときの電気信号と検出しないときの電気信号を比較することでハンディスキャナ１６が取り外されたことがわかる。磁気検知素子の代わりに、例えばリードリレーやリードスイッチなどの磁気検知スイッチを用いてもよい。また、リミットスイッチ、マイクロスイッチ、フォトリフレクタ、フォトインタラプタ、圧力スイッチ、及びそれらで構成したインターロックスイッチユニットを用いても良い。本実施形態では、ハンディスキャナ１６の取り外しが検出された場合には、後述するように、垂直側スキャナであるハンディスキャナ１６のＬＤの発光のみならず、水平側スキャナのＬＤの発光をも停止するようにする。また、水平側スキャナのＬＤがオンしたままでスキャンラインが出力されても、これを正規のスキャンラインとして認識しないようにしている。
【００２２】
図５、図６、図７は上記したハンディスキャナ１６をスタンド部２５に装着して固定式スキャナとして使用した場合のバーコードの読み取り動作を説明するための図である。図５は主としてハンディスキャナ１６内部の光学系を示している。図６は複数のパターンミラーの配置を示す横断面図であり、図７はその縦断面図である。
【００２３】
ＬＤ（レーザダイオード）１からのレーザ光は凹面鏡としての集光ミラー２の中央部に設けられたセンターミラー（平面鏡）２−１に当たって図示せぬモータなどにより回転されるポリゴン３へ導かれる。ポリゴン３で反射されたレーザ光は、走査光としてパターンミラーＡ（４−１）及びＢ（４−２）へと導かれる。上記走査光は、パターンミラーＡ（４−１）及びＢ（４−２）の角度により、ほぼ水平方向及びほぼ垂直方向の投射パターンとしてウインドウ５を介してハンディスキャナ１６の外部へと出射されてカウンタ１２上の商品８、１０に付与されているバーコード７、９に投射される。
【００２４】
商品８、１０のバーコード７、９に投射された光は乱反射して、バーコード７、９の白黒パターンの白い部分と黒い部分の反射率に応じて強弱を持った散乱光となる。この散乱光の一部はＬＤ１から出射されてバーコード７、９に到達した光路と同一の光路を逆にたどって集光ミラー２に到達する。集光ミラー２に到達した光は集光されてＬＤ１とは所定の距離だけ離して配置されたＰＤ（フォトダイオード）１１に入射されて光電変換される。このようにしてバーコードのパターンは電気信号に変換された後、処理、デコードされる。
【００２５】
図８は上記したポリゴン３の上面図（図８（Ａ））及び側面図（図８（Ｂ）、（Ｃ））である。図８に示すように、ポリゴン３は、回転軸２７に対して異なる傾斜角α１、α２、α３、α４を持つ４つの面を有しているので、ポリゴン３の回転により４つの面に光が当たると投射角の異なる４方向の光が出射されることになり、例えば、パターンミラーＢ（４−２）により反射されてウインドウ５からハンディスキャナ１６の外部に出力される投射パターンは方向の異なる４種類のスキャンラインとなる。
【００２６】
図９はこのときの投射パターンを上方から見た図である。ここではスキャンラインＢ１、Ｂ２のみについて示し、これらの間の角度をもつスキャンラインＢ２、Ｂ３については図示していない。パターンミラーＢ（４−２）から投射される投射パターンは、ウインドウ５に対してほぼ垂直なスキャンラインＢ４から、ウインドウ５に対してほぼ水平となる角度をもつスキャンラインＢ１まで存在することがわかる。水平なスキャンラインＢ１は商品の側面に付与されたバーコード２０、２２を読み取るのに必要である。一方、ウインドウ５に対してほぼ垂直なスキャンラインＢ４はウインドウ５に正対した面に付与されたバーコード２１を読み取るのに適している。Ｂ４のようなスキャンラインは特に、商品をウインドウ５に正対させたまま、遠方から近づけて読み取る、いわゆるプロジェクションタイプのスキャナにおいて用いられる。
【００２７】
このように、ハンディスキャナ１６を固定式スキャナとして使用する場合には、カウンタ１２上に広範囲に渡って任意の異なる向きに置かれた複数の商品を読み取るために、多くの角度のスキャンラインからなる投射パターンが投射される。
【００２８】
図１０は本実施形態に係るハンディスキャナ１６をスタンド部１８から取り外してハンドヘルド操作によりカウンタ１２上にない離れた距離にある商品１３１に付与されたバーコード１３２を読み取るにあたって、ウインドウ５から出射される投射パターンを示す図である。ハンディスキャナ１６を離れた距離にある商品のバーコードを読み取るのに使用する場合には、図９に示すような広がりのある投射パターンでは読み取るべき的が絞りにくくなるばかりでなく、読み取るべきでない無関係のバーコードをも読み取ってしまう可能性がある。そこで、離れた距離にある商品のバーコードを読み取る場合には、図１０に示すようにＬＤの発光を、ポリゴン３の回転と同期させて点滅制御することにより、読み取りに要するスキャンライン（図では実線で示される、ウインドウ５にほぼ垂直なスキャンラインＢ４）のみを出射させ、他のスキャンライン（点線のスキャンラインＢ１、Ｂ２、Ｂ３）は出射させないようにしている。
【００２９】
図１１はこのときの水平側スキャナのＬＤ発光のタイミングと、垂直側スキャナ（ハンディスキャナ１６）のＬＤ発光のタイミングを比較して説明するための図である。電源ＯＮにより水平側スキャナのＬＤとハンディスキャナ１６のＬＤの発光が開始される（Ａ１）。ハンディスキャナ１６では全スキャンラインの出力がなされる。ここで、オペレータが遠方にある商品のバーコードを走査するべくハンディスキャナ１６をスタンド部２５から取り外したとすると、このことが前記した方法により検出されて水平側スキャナのＬＤとハンディスキャナ１６のＬＤの発光が停止される（Ａ２）。この後、オペレータがトリガースイッチ２３を押してトリガをＯＮすると（Ａ３）、ハンディスキャナ１６のＬＤは１スキャンラインのみの発光を行なうようにＬＤの出力及びタイミングを制御する。Ａ４のタイミングで読み取りが終了するとハンディスキャナ１６のＬＤの発光は停止される。この後、オペレータがトリガースイッチ２３を離すことによりトリガーオフとなる（Ａ５）。離れた距離にある商品の読み取りが終了した後、ハンディスキャナ１６をスタンド部２５に再度取り付けると、これが検知されて水平側スキャナのＬＤとハンディスキャナ１６のＬＤの発光が再開される（Ａ６）。
【００３０】
このように、ハンディスキャナ１６により離れた距離にある商品のバーコードを読み取る場合には、スキャンラインが１本になるようにＬＤの発光を制御することで、当該商品の周囲に存在する可能性のある商品のバーコードを不用意に読み取ってしまうことを防止することができる。
【００３１】
図１２（Ａ）は磁気検知素子１２６−１をハンディスキャナ１６側に設け、マグネット１２６−１をプレート１２−１に設けた例を示す図である。このような構成によれば、上記したハンディスキャナ１６が取り外された場合と同様の方法により、プレート１２−１が取り外されたことを検知することができる。
【００３２】
プレート１２−１はバーコードを読み取るために商品が通過する部分となるためにその中央に設けられた窓部が汚れやすい。したがって、プレート１２−１は取り外して清掃できるようになっているが、プレート１２−１を取り外すとＬＤからの発光がオペレータの目に当たって損傷を与える危険がある。そこで、本実施形態では、プレート１２−１の取り外しが検知された場合にはＬＤの発光を停止するようにしている。清掃の後、プレート１２−１が再度、取り付けられた場合にはＬＤの発光を再開する。図１２（Ｂ）はこのときのＬＤの発光、停止のタイミングを示している。
【００３３】
図１３は本実施形態に係るハンディスキャナ１６にＥＡＳアンテナ３０を設けた例を示す図である。このような構成によれば、カウンタにおいて、ハンディスキャナ１６により商品３１に付与されたバーコード１３２を読み取る際にＥＡＳアンテナ３０からの電波によりバーコード１３２に添付されたタグ１３２’が焼き切られる。これにより、タグ１３２’が焼き切られた商品については正規の方法で買い物をした証明になる。一方、カウンタを通さないで店外に持ち出されようとした商品はタグ１３２’が焼き切られていないのでアラーム音を発する。このように、ハンディスキャナ１６にＥＡＳアンテナ３０を設けることにより防犯システムとしての機能を持たせることができる。
【００３４】
なお、上記した具体的実施形態には以下の構成を有する発明が含まれている。
（１）  バーコードを読み取るためのバーコード読み取り部からのスキャンラインが出射されるウインドウ部を前面に有し、本体を位置決めすべく所定の保持部に着脱可能に固定された状態で上方から掴むことが可能なグリップ部を背面に有するバーコード読み取り装置であって、
本体が前記保持部に固定された状態で、当該バーコード読み取り装置の読み取り範囲にあるバーコードを読み取る第１の読み取りモードと、前記バーコード読み取り装置を前記保持部から取り外して、ハンドヘルド操作によりバーコードの読み取りを行なう第２の読み取りモードとの間で選択的に用いられ、
前記第２の読み取りモード時のハンドヘルド操作は、前記グリップ部を上方から掴んで、前記バーコード読み取り装置を手前に押し倒す方向に反転させて前記ウインドウ部をバーコードのある方向に向ける動作を伴う。
（２）  本体が前記固定部に固定されたときのバーコード読み取り部を垂直側スキャナとしたときに、この垂直側スキャナと所定の位置関係を持たせて前記バーコード読み取り装置とは別個に配置された水平側スキャナとしての第２のバーコード読み取り部を有することを特徴とする（１）に記載のバーコード読み取り装置。
（３）  前記バーコード読み取り装置が第２の読み取りモードで使用される場合には、前記第２のバーコード読み取り部からのスキャンラインを読み取りのための出射光として認識しないことを特徴とする（２）に記載のバーコード読み取り装置。
（４）  前記バーコード読み取り装置が第２の読み取りモードで使用される場合には、本体が前記保持部から取り外されたときにレーザの発光を停止し、トリガースイッチが押されたときにレーザの発光を再開することを特徴とする（１）に記載のバーコード読み取り装置。
（５）  磁気検知素子あるいは磁気検知スイッチにより、前記バーコード読み取り装置の本体が前記保持部から取り外されたことを検出することを特徴とする（１）に記載のバーコード読み取り装置。
（６）  磁気検知素子あるいは磁気検知スイッチにより、プレートが取り外されたことを検出し、取り外しが検出された場合には前記水平側スキャナのレーザ発光を停止することを特徴とする（２）に記載のバーコード読み取り装置。
（７）  前記バーコード読み取り装置の本体に磁気検知素子あるいは磁気検知スイッチを設け、この磁気検知素子あるいは磁気検知スイッチに対応させて前記プレートにマグネットを設けて前記プレートの取り外しを検出することを特徴とする（６）に記載のバーコード読み取り装置。
【００３５】
【発明の効果】
本発明によれば、大量の商品を読み取ることができる固定式スキャナとしての使用だけでなく、ハンドヘルド操作によるバーコード読み取りも操作性良く行なうことができるバーコード読み取り装置を提供することができる。
【図面の簡単な説明】
【図１】本発明の一実施形態に係るハンディスキャナ１６の外観斜視図である。
【図２】本実施形態のハンディスキャナ１６を固定式スキャナとして用いるべくスタンド部２５に装着される様子を示す図である。
【図３】本発明の一実施形態に係るハンドヘルド操作の手順を説明するための図である。
【図４】オペレータがハンディスキャナ１６をスタンド部２５から取り外したことを検出する方法を説明するための図である。
【図５】ハンディスキャナ１６内部の光学系を主として示す図である。
【図６】複数のパターンミラーの配置を主として示す横断面図である。
【図７】複数のパターンミラーの配置を主として示す縦断面図である。
【図８】ポリゴン３の上面図（図８（Ａ））及び側面図（図８（Ｂ）、（Ｃ））である。
【図９】ハンディスキャナ１６を固定式スキャナとして用いた場合にウインドウ５から出射される投射パターンについて説明するための図である。
【図１０】ハンディスキャナ１６をハンドヘルドスキャナとして用いた場合にウインドウ５から出射される投射パターンについて説明するための図である。
【図１１】水平側スキャナのＬＤ発光のタイミングと、垂直側スキャナ（ハンディスキャナ１６）のＬＤ発光のタイミングを比較して説明するための図である。
【図１２】マグネット２６−１をプレート１２−１に設けてプレート１２−１が取り外されたことを検出する例を示す図である。
【図１３】本実施形態のハンディスキャナ１６にＥＡＳアンテナを設けた応用例を示す図である。
【図１４】従来のＰＯＳシステムにおいて、ハンドヘルドスキャナを使用する例を示す図である。
【図１５】従来のオムニスキャナを用いてハンドヘルド操作により読み取りを行なうときの動作を説明するための図である。
【符号の説明】
４…スキャンライン、
５…ウインドウ、
６…グリップ部、
１２…カウンタ、
１６…ハンディスキャナ、
２３…トリガスイッチ、
２４…底部、
２５…スタンド部。
【図１】
0004179664.tif 000002
【図２】
0004179664.tif 000003
【図３】
0004179664.tif 000004
【図４】
0004179664.tif 000005
【図５】
0004179664.tif 000006
【図６】
0004179664.tif 000007
【図７】
0004179664.tif 000008
【図８】
0004179664.tif 000009
【図９】
0004179664.tif 000010
【図１０】
0004179664.tif 000011
【図１１】
0004179664.tif 000012
【図１２】
0004179664.tif 000013
【図１３】
0004179664.tif 000014
【図１４】
0004179664.tif 000015
【図１５】
0004179664.tif 000016